(57)【要約】【課題】情報記録媒体上に記録された各種管理情報に信頼性がないと判定された場合であっても、この各種管理情報を最新の情報に正しく更新する時間を大幅に短縮することを可能にする。【解決手段】記録情報を記録するための複数の記録情報記録領域（ＯＰＣエリアＰＣＡ０、ユーザデータエリア１０９−０又はスペアエリアＳＡ）と、複数の記録情報記録領域を夫々管理するための複数の管理情報を記録するための管理情報記録領域（マネージメントエリアＭＡ）と、複数の管理情報が正しく更新されたか否かという信頼性を複数の管理情報（１２０、１３０、又は１４０）毎に示す複数の信頼性情報（信頼性フラグ群１５０）を記録するための信頼性情報記録領域（マネージメントエリアＭＡ）とを備える。【選択図】図４
2007213809.tif 000002
【特許請求の範囲】
【請求項１】
記録情報を記録するための複数の記録情報記録領域と、
前記複数の記録情報記録領域を夫々管理するための複数の管理情報を記録するための管理情報記録領域と、
前記複数の管理情報が正しく更新されたか否かという信頼性を前記複数の管理情報毎に示す複数の信頼性情報を記録するための信頼性情報記録領域と
を備えたことを特徴とする情報記録媒体。
【請求項２】
前記複数の信頼性情報は、前記信頼性情報記録領域にまとめて記録されることを特徴とする請求項１に記載の情報記録媒体。
【請求項３】
前記管理情報記録領域及び前記信頼性情報記録領域は、一つにまとめられていることを特徴とする請求項１に記載の情報記録媒体。
【請求項４】
前記複数の管理情報は、前記記録情報記録領域の各ブロック夫々に対して記録済み状態又は未記録状態を識別するためのスペースビットマップ情報、ディフェクト管理を行なうためのディフェクトリスト情報、及び、次に試し書きを行う場所を識別するためのＯＰＣポインター情報のうち少なくとも一つの情報を含むことを特徴とする請求項１に記載の情報記録媒体。
【請求項５】
前記管理情報及び前記信頼性情報は、前記管理情報別のテーブル形式で記述されていることを特徴とする請求項１に記載の情報記録媒体。
【請求項６】
前記信頼性情報は、前記管理情報と前記管理情報に管理される前記記録情報記録領域の記録状態との不整合を示す不整合フラグを含むことを特徴とする請求項１に記載の情報記録媒体。
【請求項７】
前記情報記録媒体は、複数の記録層を有し、
前記信頼性情報は、前記複数の記録層毎に前記不整合フラグを含むことを特徴とする請求項６に記載の情報記録媒体。
【請求項８】
前記管理情報は、前記記録情報記録領域の各ブロック夫々に対して記録済み状態又は未記録状態を識別するためのスペースビットマップ情報であり、
前記信頼性情報は、前記スペースビットマップ情報の不整合を示す前記不整合フラグを含むことを特徴とする請求項７に記載の情報記録媒体。
【請求項９】
請求項１に記載の情報記録媒体に記録情報を記録可能である記録手段を備えた情報記録装置であって、
前記信頼性情報を前記信頼性情報記録領域から読み出す読出手段と、
前記読出手段により読み出された信頼性情報に対応される管理情報を決定する決定手段と、
前記決定された管理情報に基づいて前記記録情報を記録するように前記記録手段を制御する制御手段と
を備えたことを特徴とする情報記録装置。
【請求項１０】
前記決定された管理情報に対応する信頼性情報を、暫定的に信頼性がない旨に更新する第１更新手段と、
前記決定された管理情報によって管理される前記記録情報記録領域を検証する検証手段と、
前記検証手段による検証完了後、前記管理情報を正しく更新すると共に、当該更新された管理情報に対応する前記信頼性情報を信頼性がある旨に確定的に更新する第２更新手段と
を更に備えたことを特徴とする請求項９に記載の情報記録装置。
【請求項１１】
記録情報を記録するための複数の記録情報記録領域と、前記複数の記録情報記録領域を夫々管理するための複数の管理情報を記録するための管理情報記録領域と、前記複数の管理情報が正しく更新されたか否かを示す不整合フラグを前記複数の管理情報毎に記録するための不整合フラグ記録領域とを備えた情報記録媒体に前記記録情報を記録する情報記録装置であって、
前記記録情報を記録する記録情報記録手段と、
前記管理情報を記録する管理情報記録手段と、
前記不整合フラグを記録する不整合フラグ記録手段と
を備え、
前記不整合フラグ記録手段は、前記管理情報記録手段による記録開始前に、前記不整合フラグとして、不整合状態を示す一のシンボル情報を記録することを特徴とする情報記録装置。
【請求項１２】
前記不整合フラグ記録手段は、前記管理情報記録手段による記録終了後に、前記不整合フラグとして、整合状態を示す他のシンボル情報を記録することを特徴とする請求項１１に記載の情報記録装置。
【請求項１３】
請求項１に記載の情報記録媒体に記録情報を記録可能である記録手段を備えた情報記録装置における情報記録方法であって、
前記信頼性情報を前記信頼性情報記録領域から読み出す読出工程と、
前記読出工程により読み出された信頼性情報に対応される管理情報を決定する決定工程と、
前記決定された管理情報に基づいて前記記録情報を記録するように前記記録手段を制御する制御工程と
を備えたことを特徴とする情報記録方法。
【請求項１４】
前記決定された管理情報に対応する信頼性情報を、暫定的に信頼性がない旨に更新する第１更新工程と、
前記決定された管理情報によって管理される前記記録情報記録領域を検証する検証工程と、
前記検証工程による検証完了後、前記管理情報を正しく更新すると共に、当該更新された管理情報に対応する前記信頼性情報を信頼性がある旨に確定的に更新する第２更新工程と
を更に備えたことを特徴とする請求項１３に記載の情報記録方法。
【請求項１５】
記録情報を記録するための複数の記録情報記録領域と、前記複数の記録情報記録領域を夫々管理するための複数の管理情報を記録するための管理情報記録領域と、前記複数の管理情報が正しく更新されたか否かを示す不整合フラグを前記複数の管理情報毎に記録するための不整合フラグ記録領域とを備えた情報記録媒体に前記記録情報を記録する情報記録装置における情報記録方法であって、
前記記録情報を記録する記録情報記録工程と、
前記管理情報を記録する管理情報記録工程と、
前記不整合フラグを記録する不整合フラグ記録工程と
を有し、
前記不整合フラグ記録工程は、前記管理情報記録工程による記録開始前に、前記不整合フラグとして、不整合状態を示す一のシンボル情報を記録することを特徴とする情報記録方法。
【請求項１６】
前記不整合フラグ記録工程は、前記管理情報記録工程による記録終了後に、前記不整合フラグとして、整合状態を示す他のシンボル情報を記録することを特徴とする請求項１５に記載の情報記録方法。
【請求項１７】
請求項９乃至１２のうちいずれか一項に記載の情報記録装置に備えられたコンピュータを制御する記録制御用のコンピュータプログラムであって、該コンピュータを、前記読出手段、前記決定手段、前記制御手段、及び前記記録手段の少なくとも一部として機能させることを特徴とする記録制御用のコンピュータプログラム。
【発明の詳細な説明】
【技術分野】
【０００１】
本発明は、光ディスクやハードディスク等の情報記録媒体、並びにこのような情報記録媒体にデータを記録するための情報記録装置及び方法の技術分野に関する。
【背景技術】
【０００２】
光ディスク等の記録媒体に、記録領域におけるデータの記録状態、即ち、記録済みであるか否かを示した管理情報を記録する技術が知られている。
【０００３】
また、前述の管理情報が、例えば、電源の遮断等の原因により、記録媒体へ記録されなかった場合でも、信頼性情報によって、管理情報の更新の有無を検知し、管理情報と実際の記録状態との不整合を防止し、信頼性を向上させる技術が知られている（例えば、特許文献１）。
【０００４】
【特許文献１】特開平７−４４４３１号公報
【発明の開示】
【発明が解決しようとする課題】
【０００５】
しかしながら、上述した技術によれば、信頼性情報は、複数の管理情報の夫々と対応していなく、管理情報全体の信頼性を１つだけを示している。よって、例えば、電源の遮断等の原因により、情報記録媒体上に管理情報が記録されなかった、即ち情報記録媒体上の管理情報が更新されなかった場合、信頼性情報により、信頼性がないと判定されても、複数の管理情報のどの種類の管理情報の信頼性がないのか特定することができない。よって、すべての管理情報について、最新の情報に正しく更新されたかどうかを検証或いはスキャンすることが必要となる。そのため、信頼性がある管理情報に対しても、検証或いはスキャンが必要となり、具体的には、記録領域の全体を検証或いはスキャンする必要性も生じ、大幅な時間が費やされてしまうという問題点がある。
【０００６】
そこで、本発明は、例えば上述の問題点に鑑みなされたものであり、例えば仮に情報記録媒体上に記録された各種管理情報に信頼性がないと判定された場合であっても、各種管理情報を最新の情報に正しく更新する時間を大幅に短縮することを可能ならしめる情報記録媒体、情報記録装置及び方法を提供することを課題とする。
【課題を解決するための手段】
【０００７】
本発明の請求項１に記載の情報記録媒体は上記課題を解決するために、記録情報を記録するための複数の記録情報記録領域（ＯＰＣエリア、ユーザデータエリア又はスペアエリア等）と、前記複数の記録情報記録領域を夫々管理するための複数の管理情報を記録するための管理情報記録領域（マネージメントエリア等）と、前記複数の管理情報が正しく更新されたか否かという信頼性を前記複数の管理情報（スペースビットマップ情報等）毎に示す複数の信頼性情報（信頼性フラグ群等）を記録するための信頼性情報記録領域（マネージメントエリア等）とを備える。
【０００８】
本発明の請求項９に記載の情報記録装置は上記課題を解決するために、請求の範囲第１項に記載の情報記録媒体に記録情報を記録可能である記録手段を備えた情報記録装置であって、前記信頼性情報を前記信頼性情報記録領域から読み出す読出手段と、前記読出手段により読み出された信頼性情報に対応される管理情報を決定する決定手段と、前記決定された管理情報に基づいて前記記録情報を記録するように前記記録手段を制御する制御手段とを備える。
【０００９】
本発明の請求項１１に記載の情報記録装置は上記課題を解決するために、記録情報を記録するための複数の記録情報記録領域と、前記複数の記録情報記録領域を夫々管理するための複数の管理情報を記録するための管理情報記録領域と、前記複数の管理情報が正しく更新されたか否かを示す不整合フラグを前記複数の管理情報毎に記録するための不整合フラグ記録領域とを備えた情報記録媒体に前記記録情報を記録する情報記録装置であって、前記記録情報を記録する記録情報記録手段と、前記管理情報を記録する管理情報記録手段と、前記不整合フラグを記録する不整合フラグ記録手段とを備え、前記不整合フラグ記録手段は、前記管理情報記録手段による記録開始前に、前記不整合フラグとして、不整合状態を示す一のシンボル情報を記録する。
【００１０】
本発明の請求の範囲第１３項に記載の情報記録方法は上記課題を解決するために、請求の範囲第１項に記載の情報記録媒体に記録情報を記録可能である記録手段を備えた情報記録装置における情報記録方法であって、前記信頼性情報を前記信頼性情報記録領域から読み出す読出工程と、前記読出工程により読み出された信頼性情報に対応される管理情報を決定する決定工程と、前記決定された管理情報に基づいて前記記録情報を記録するように前記記録手段を制御する制御工程とを備える。
【００１１】
本発明の請求項１５に記載の情報記録方法は上記課題を解決するために、記録情報を記録するための複数の記録情報記録領域と、前記複数の記録情報記録領域を夫々管理するための複数の管理情報を記録するための管理情報記録領域と、前記複数の管理情報が正しく更新されたか否かを示す不整合フラグを前記複数の管理情報毎に記録するための不整合フラグ記録領域とを備えた情報記録媒体に前記記録情報を記録する情報記録装置における情報記録方法であって、前記記録情報を記録する記録情報記録工程と、前記管理情報を記録する管理情報記録工程と、前記不整合フラグを記録する不整合フラグ記録工程とを有し、前記不整合フラグ記録工程は、前記管理情報記録工程による記録開始前に、前記不整合フラグとして、不整合状態を示す一のシンボル情報を記録する。
【００１２】
本発明の請求項１７に記載のコンピュータプログラムは上記課題を解決するために、請求項９乃至１２のうちいずれか一項に記載の情報記録装置に備えられたコンピュータを制御する記録制御用のコンピュータプログラムであって、該コンピュータを、前記読出手段、前記決定手段、前記制御手段、及び前記記録手段の少なくとも一部として機能させる。
【００１３】
本発明の作用及び利得は次に説明する実施の形態から明らかにされる。
【発明を実施するための最良の形態】
【００１４】
以下、本発明の実施形態に係る情報記録媒体、情報記録装置及び方法について順に説明する。
【００１５】
（情報記録媒体の実施形態）
以下、本発明の実施形態に係る情報記録媒体について説明する。
【００１６】
本発明の情報記録媒体に係る実施形態は、記録情報を記録するための複数の記録情報記録領域（ＯＰＣエリア、ユーザデータエリア又はスペアエリア等）と、前記複数の記録情報記録領域を夫々管理するための複数の管理情報を記録するための管理情報記録領域（マネージメントエリア等）と、前記複数の管理情報が正しく更新されたか否かという信頼性を前記複数の管理情報（スペースビットマップ情報等）毎に示す複数の信頼性情報（信頼性フラグ群等）を記録するための信頼性情報記録領域（マネージメントエリア等）とを備える。
【００１７】
本発明の情報記録媒体に係る実施形態によれば、複数の記録情報記録領域には、記録情報が記録可能である。ここに、本発明に係る「記録情報」とは、例えば、ユーザデータエリア等の記録情報記録領域に記録される場合は、再生又は実行の主たる対象となるデータをいい、例えば、画像データ、音声データ、文書データなどのコンテンツデータや、コンピュータプログラム用のデータである。或いは、例えば、スペアエリア等の記録情報記録領域に記録される場合は、ディフェクト管理を行うためのディフェクトリスト等のデータである。ここに、「ディフェクト管理」とは、記録媒体上に存在する傷もしくは塵埃、又は記録媒体の劣化等を総称した、所謂、ディフェクトが存在する場所を避けて記録情報の記録動作を行うことである。或いは、例えば、ＯＰＣエリア等の記録情報記録領域に記録される場合は、レーザ光の最適記録パワーを検出する所謂、ＯＰＣ処理（Optimum Power Calibration）を行うため、例えば、ダミーデータ等の試し書き用のデータである。
【００１８】
また、例えば、レコーディングマネージメントエリア（以下、適宜「マネージメントエリア」と称す）等の管理情報記録領域には、複数の管理情報が記録される。ここに、本発明に係る「管理情報」とは、複数の記録情報記録領域の夫々を管理するための情報である。より具体的には、ユーザデータエリア等の記録情報記録領域を管理する管理情報の一具体例は、記録情報記録領域の各場所において記録情報が記録済みであるか否かを示すスペースビットマップ情報である。或いは、スペアエリア等の記録情報記録領域を管理する管理情報の一具体例は、ディフェクト管理を行うために作成される、例えば、アドレス情報がテーブル形式でまとめられたディフェクトリスト情報である。或いは、ＯＰＣエリア等の記録情報記録領域を管理する管理情報の一具体例は、ＯＰＣエリアにおいて、次に試し書きされる場所の、例えばセクタ番号等のアドレス情報を指し示したＯＰＣポインター情報である。尚、管理情報は、情報記録媒体に対して記録を行う機会がある度に更新又は作成されてもよいし、一連の記録が全て完了してから情報記録媒体の排出等の操作が行われる時等に更新又は作成されてもよい。
【００１９】
以上より、本実施形態に係る情報記録媒体に対して記録情報を記録する際には、実際の記録動作に先立って読み出されたスペースビットマップ情報等の管理情報に基づいて、例えば空いている記録領域を特定して、この場所に記録情報を記録することができる。或いは、ディフェクトリスト情報等の管理情報に基づいて、ディフェクトの場所を特定して、この場所を避けて記録情報を記録することができる。或いは、ＯＰＣポインター情報等の管理情報に基づいて、次に試し書きされる場所が特定されて、効率的にＯＰＣ処理を行うことができる。
【００２０】
特に、本実施形態では、例えば、マネージメントエリア等の信頼性情報記録領域においては、複数の管理情報の夫々が最新の情報に正しく更新されているか否かという信頼性を示す、例えば、フラグ等の信頼性情報が記録される。言い換えると、信頼性情報は、複数の管理情報の夫々と１対１に対応している。よって、信頼性情報に従って、例えば、信頼性の低いとされる管理情報を簡便且つ迅速に特定することが可能である。尚、信頼性情報は、情報記録媒体に対して管理情報が記録される度に更新又は作成されてもよいし、一連の記録についての管理情報の記録が全て完了してから情報記録媒体の排出等の操作が行われる時等に更新又は作成されてもよい。
【００２１】
以上のように構成されているので、例えば仮に電源の遮断等の原因により、管理情報記録領域に記録されている管理情報の少なくとも一つが最新の情報に正しく更新されなかった場合であっても、後に信頼性情報に従って信頼性の低いとされる管理情報を特定することが可能である。よって、この信頼性が低いと特定された管理情報によって管理されている記録情報記録領域を限定することが可能である。従って、この限定された記録情報記録領域を管理する管理情報について最新の情報に正しく更新すればよい。即ち、情報記録媒体の記録領域の全体に対して検証或いはスキャン、即ち読み込みを行う必要はなく、信頼性が低いとされる管理情報に管理されている限定された記録情報記録領域のみに対して検証或いはスキャンを行えば足りる。従って、結果的に、各種管理情報の全てを最新の情報に正しく更新するのに要する時間を大幅に短縮することが可能となる。
【００２２】
具体的には、本実施形態に係る情報記録媒体は、複数の管理情報の夫々に対応する、例えば、信頼性を示したフラグ（以下、適宜「信頼性フラグ」と称す）等の信頼性情報を、管理情報の数（以下、適宜「管理情報数」と称す）だけ備えている。より具体的には、２層型光ディスクにおけるＬ０層及びＬ１層の夫々のスペースビットマップ情報に対応する信頼性フラグを１個づつ、ディフェクトリスト情報に対応する信頼性フラグを１個、及び、ＯＰＣポインター情報に対応する信頼性フラグを１個の合計４個、即ち、４ビットのデータ量だけ信頼性情報は備えられている。このように、本実施形態の情報記録媒体では、従来の技術と比較して、管理情報数に比例するデータ量の信頼性情報を必要とするが、管理情報を最新の情報に正しく更新させるための時間を“１／管理情報数”倍、例えば“１／４”倍に短縮することが可能である。尚、“管理情報数”倍のデータ量も１セクタ（２ＫＢ）に十二分に記録可能である。加えて、ＢＤ−ＲＥ等の記録媒体のように大容量になればなるほど、時間短縮の効果は大きくなることは自明である。
【００２３】
特に、本実施形態において、前述のように、記録領域の使用方法に応じて分類して各種管理情報を定義すると大変有効である。例えば、スペアエリア、ユーザデータエリア並びにＯＰＣエリア等に対応して、各種管理情報を分類すると大変有効である。何故ならば、これらの記録領域は、使用又は記録される時期やタイミングが類似している。よって、これらの記録領域夫々を管理する管理情報に対して、信頼性情報が設定された場合、仮に、電源の遮断等が発生しても、空間的局所性及び時間的局所性によって、空間的に近くのブロック等に短時間に記録される可能性が高いので、各種管理情報の信頼性が低いとして特定される記録領域の範囲を最小限とすることが可能である。よって、記録領域をスキャンする時間と、各種管理情報を最新の情報に正しく更新する時間とを更に短縮化、効率化することが可能となる。
【００２４】
本発明の情報記録媒体に係る実施形態の一の態様では、前記複数の信頼性情報は、前記信頼性情報記録領域にまとめて記録される。
【００２５】
この態様によれば、複数の管理情報の夫々に対する信頼性情報を、例えば、信頼性フラグ群として一つの信頼性情報記録領域にまとめて記録されているので、複数の管理情報の夫々に対する信頼性情報を１回のアクセス又は読出し動作で簡単に取得する事が可能となる。
【００２６】
本発明の情報記録媒体に係る実施形態の他の態様では、前記管理情報記録領域及び前記信頼性情報記録領域は、一つにまとめられている。
【００２７】
この態様によれば、複数の管理情報と、その夫々に対する信頼性情報とを、例えば、マネージメントエリア等の管理情報記録領域にまとめて記録されているので、これらの管理情報と信頼性情報とを１回のアクセス又は読出し動作で簡単に取得する事が可能となる。
【００２８】
本発明の情報記録媒体に係る実施形態の他の態様では、前記複数の管理情報は、前記記録情報記録領域の各ブロック夫々に対して記録済み状態又は未記録状態を識別するためのスペースビットマップ情報、ディフェクト管理を行なうためのディフェクトリスト情報、及び、次に試し書きを行う場所を識別するためのＯＰＣポインター情報のうち少なくとも一つの情報を含む。
【００２９】
この態様によれば、例えば、スペースビットマップ情報が管理情報として最新の情報に正しく更新されることで、例えば、ユーザデータエリア等の記録情報記録領域における記録済み状態又は未記録状態を的確に識別するが可能となる。具体的には、スペースビットマップ情報は、情報記録媒体の記録領域が分割された小領域において「記録済み」又は「未記録」等の記録の状態を示すフラグがまとめられた情報である。より具体的には、小領域は、情報記録媒体の記録領域のセクタ番号で指定される論理ブロック又は物理ブロック（以下適宜、これを「１ＥＣＣ（Error Correcting Code）ブロック」と称す）である。例えば、これらの１ＥＣＣブロックの夫々に対して「記録済み」であるか又は「未記録」であるかの記録状態を識別することができるフラグが付与される。スペースビットマップ情報は、これらのフラグがまとめられた情報である。従って、記録情報を記録する際には、実際の記録動作に先立って読み出されたスペースビットマップ情報に基づいて、例えば未記録の１ＥＣＣブロックを相対的に多く持つ記録領域が特定され、この特定された記録領域に記録情報が記録可能である。
【００３０】
特に、このスペースビットマップ情報として、フラグ等の情報を用いれば、例えば情報記録媒体の装着時に読み出された未記録の状態の１ＥＣＣブロックの分布の把握及び記録済みとなった１ＥＣＣブロックに対応するフラグ等の情報の更新を容易且つ迅速に行うことができる。また、一種類のフラグ等の情報で済ませることにより、データ量の削減が可能である。尚、スペースビットマップ情報においては、「記録済み」の小領域、即ち、１ＥＣＣブロックには、例えば“１”のフラグが立てられ、「未記録」の小領域、即ち、ブロックには、例えば“０”のフラグが立てられる。
【００３１】
また、この態様によれば、例えば、ディフェクトリスト情報が管理情報として最新の情報に正しく更新されることで、例えば、スペアエリア等の記録情報記録領域におけるディフェクトを的確に識別するが可能となる。よって、ディフェクト管理によって、ディフェクトが存在する場所を避けて記録情報の記録動作を的確且つ迅速に行うことが可能となる。
【００３２】
加えて、この態様によれば、例えば、ＯＰＣポインター情報が管理情報として最新の情報に正しく更新されることで、例えば、ＯＰＣエリア等の記録情報記録領域における次に試し書きを行う場所を的確に識別するが可能となる。よって、ＯＰＣ処理によって、レーザ光の最適記録パワーを的確且つ迅速に検出することが可能となる。
【００３３】
本発明の情報記録媒体に係る実施形態の他の態様では、前記管理情報及び前記信頼性情報は、前記管理情報別のテーブル形式で記述されている。
【００３４】
この態様によれば、管理情報が、最新の情報に正しく更新されていない場合には、例えば、テーブル内のフラグ等の信頼性情報によって、最新の情報に更新されていない管理情報を迅速且つ的確に特定することが可能となる。
【００３５】
本発明の情報記録媒体に係る実施形態の他の態様では、前記信頼性情報は、前記管理情報と前記管理情報に管理される前記記録情報記録領域の記録状態との不整合を示す不整合フラグを含む。
【００３６】
この態様によれば、信頼性情報は、例えばスペースビットマップ情報等の管理情報と、例えば一の記録層のデータエリア等の記録情報記録領域の記録状態との不整合を示す不整合フラグを含む。よって、不整合フラグに従って、例えば、管理情報と記録情報記録領域の記録状態とが不整合とされる管理情報を簡便且つ迅速に特定することが可能である。
【００３７】
この結果、例えば仮に電源の遮断等の原因により、管理情報記録領域に記録されている管理情報と、例えば一の記録層のデータエリア等の記録情報記録領域の記録状態とが不整合であっても、後に不整合フラグに従って、不整合である管理情報を特定することが可能である。よって、この不整合であると特定された管理情報によって管理されている記録情報記録領域を限定することが可能である。従って、この限定された記録情報記録領域を管理する管理情報について最新の情報に正しく更新すればよい。即ち、情報記録媒体の記録領域の全体に対して検証或いはスキャン、即ち読み込みを行う必要はなく、不整合であると示された管理情報に管理されている限定された記録情報記録領域のみに対して検証或いはスキャンを行えば足りる。従って、結果的に、管理情報の全てを最新の情報に正しく更新するのに要する時間を大幅に短縮することが可能となる。尚、ＢＤ−ＲＥ等の記録媒体のように大容量になればなるほど、時間短縮の効果は大きくなることは自明である。
【００３８】
この信頼性情報に係る態様では、前記情報記録媒体は、複数の記録層を有し、前記信頼性情報は、前記複数の記録層毎に前記不整合フラグを含むように構成してもよい。
【００３９】
このように構成すれば、信頼性情報は、例えば２層型光ディスクにおけるＬ０層及びＬ１層の夫々の管理情報に対応する不整合フラグを１個づつ、少なくとも合計２個、即ち、２ビットのデータ量だけ不整合フラグを含むようにしてもよい。
【００４０】
この結果、情報記録媒体の記録領域の全体に対して検証或いはスキャン、即ち読み込みを行う必要はなく、例えばＬ０層の管理情報に対応する不整合フラグによって、不整合であると示された、Ｌ０層の記録領域のみに対して検証或いはスキャンを行えば足りる。従って、例えばＬ０層及びＬ１層等の複数の管理情報の全てを最新の情報に正しく更新するのに要する時間を大幅に短縮することが可能となる。
【００４１】
更に、この信頼性情報に係る態様では、前記管理情報は、前記記録情報記録領域の各ブロック夫々に対して記録済み状態又は未記録状態を識別するためのスペースビットマップ情報であり、前記信頼性情報は、前記スペースビットマップ情報の不整合を示す前記不整合フラグを含むように構成してもよい。
【００４２】
このように構成すれば、信頼性情報は、例えば２層型光ディスクにおけるＬ０層及びＬ１層の夫々のスペースビットマップ情報に対応する不整合フラグを１個づつ、少なくとも合計２個、即ち、２ビットのデータ量だけ不整合フラグを含むようにしてもよい。
【００４３】
この結果、情報記録媒体の記録領域の全体に対して検証或いはスキャン、即ち読み込みを行う必要はなく、例えばＬ０層のスペースビットマップ情報に対応する不整合フラグによって、不整合であると示された、Ｌ０層の記録領域のみに対して検証或いはスキャンを行えば足りる。従って、例えばＬ０層及びＬ１層等の複数のスペースビットマップ情報の全てを最新の情報に正しく更新するのに要する時間を大幅に短縮することが可能となる。
【００４４】
（情報記録装置の実施形態）
以下、本発明の実施形態に係る情報記録装置について説明する。
【００４５】
本発明の情報記録装置に係る実施形態は、上述した実施形態に係る情報記録媒体に記録情報を記録可能である記録手段を備えた情報記録装置であって、前記信頼性情報を前記信頼性情報記録領域から読み出す読出手段と、前記読出手段により読み出された信頼性情報に対応される管理情報を決定する決定手段と、前記決定された管理情報に基づいて前記記録情報を記録するように前記記録手段を制御する制御手段とを備える。
【００４６】
本発明の情報記録装置の実施形態によれば、その動作時には、例えばプロセッサ（CPU：Central Processing Unit）、復調器、光ピックアップ等の読出手段により、実際の記録動作に先立って信頼性情報が情報記録媒体の信頼性情報記録領域から読み出される。そして、読み出された信頼性情報は、例えばプロセッサ、メモリ等の記憶手段によって記憶されてもよい。次に、プロセッサ等の決定手段により、読み出された信頼性情報に対応される管理情報（例えば、スペースビットマップ情報、ディフェクトリスト情報又はＯＰＣポインター情報等）が決定される。次に、例えばプロセッサ、エンコーダ、光ピックアップ等の記録手段により、この決定された管理情報に基づいて、実際の記録情報の記録が、例えば、未記録のブロック、ディフェクトのない未記録のブロック又はＯＰＣエリアにおける未記録のブロック等の記録情報記録領域において行われる。
【００４７】
従って本実施形態によれば、例えば仮に電源の遮断等の原因により、管理情報記録領域に記録されている管理情報の少なくとも一つが最新の情報に正しく更新されなかった場合であっても、後に信頼性情報に従って信頼性の低いとされる管理情報を特定することが可能である。よって、この信頼性が低いと特定された管理情報によって管理されている記録情報記録領域を限定することが可能である。従って、この限定された記録情報記録領域を管理する管理情報について最新の情報に正しく更新すればよい。即ち、情報記録媒体の記録領域の全体に対して検証或いはスキャン、即ち読み込みを行う必要はなく、信頼性が低いとされる管理情報に管理されている限定された記録情報記録領域のみに対して検証或いはスキャンを行えば足りる。従って、結果的に、各種管理情報の全てを最新の情報に正しく更新するのに要する時間を大幅に短縮することが可能となる。
【００４８】
尚、上述した本発明の情報記録媒体に係る実施形態における各種態様に対応して、本発明の情報記録装置に係る実施形態も各種態様を採ることが可能である。
【００４９】
本発明の情報記録装置に係る実施形態の一の態様では、前記決定された管理情報に対応する信頼性情報を、暫定的に信頼性がない旨に更新する第１更新手段と、前記決定された管理情報によって管理される前記記録情報記録領域を検証する検証手段と、前記検証手段による検証完了後、前記管理情報を正しく更新すると共に、当該更新された管理情報に対応する前記信頼性情報を信頼性がある旨に確定的に更新する第２更新手段とを更に備える。
【００５０】
この態様によれば、例えばプロセッサ、エンコーダ、光ピックアップ等の第１更新手段により、この決定された管理情報に対応する信頼性情報は、暫定的に信頼性がない旨に更新される。次に、例えばプロセッサ、エンコーダ、光ピックアップ等の検証手段により、この決定された管理情報によって管理される記録情報記録領域に対して、実際の記録情報の検証が行われる。次に、検証手段による記録情報記録領域に対する検証完了後に、例えばプロセッサ、エンコーダ、光ピックアップ等の第２更新手段により、管理情報が更新される。これと同時に又は相前後して、更新された管理情報に対応する信頼性情報、即ち暫定的に信頼性がない旨に更新されていた記録情報記録領域を管理する管理情報に対応する信頼性情報が、確定的に信頼性がある旨に更新される。尚、検証手段が情報記録媒体に対して検証を行う度に、第２更新手段は、適当なタイミングで、即ち、検証を行う度に分割して又は一連の検証完了後に一括して、管理情報を更新してもよい。
【００５１】
従って、例えば仮に電源の遮断等の原因により、管理情報記録領域に記録されている管理情報の少なくとも一つが最新の情報に正しく更新されなかった場合であっても、後に信頼性情報に従って信頼性の低いとされる管理情報をより的確に特定することが可能である。
【００５２】
本発明の情報記録装置に係る他の実施形態は、記録情報を記録するための複数の記録情報記録領域と、前記複数の記録情報記録領域を夫々管理するための複数の管理情報を記録するための管理情報記録領域と、前記複数の管理情報が正しく更新されたか否かを示す不整合フラグを前記複数の管理情報毎に記録するための不整合フラグ記録領域とを備えた情報記録媒体に前記記録情報を記録する情報記録装置であって、前記記録情報を記録する記録情報記録手段と、前記管理情報を記録する管理情報記録手段と、前記不整合フラグを記録する不整合フラグ記録手段とを備え、前記不整合フラグ記録手段は、前記管理情報記録手段による記録開始前に、前記不整合フラグとして、不整合状態を示す一のシンボル情報を記録する。
【００５３】
本発明の情報記録装置の他の実施形態によれば、例えば仮に電源の遮断等の原因により、（ｉ）管理情報記録領域に記録されている管理情報の少なくとも一つが最新の情報に正しく更新されなかった場合、又は（ｉｉ）管理情報とこの管理情報に管理される記録情報記録領域の記録状態とが不整合である場合において、後に不整合フラグとして記録された、不整合状態を示す一のシンボル情報（例えば２進数表示の「１」）に従って信頼性の低いとされる、又は不整合である管理情報を特定することが可能である。よって、この信頼性が低い、又は不整合であると特定された管理情報によって管理されている記録情報記録領域を限定することが可能である。従って、この限定された記録情報記録領域を管理する管理情報について最新の情報に正しく更新すればよい。即ち、情報記録媒体の記録領域の全体に対して検証或いはスキャン、即ち読み込みを行う必要はなく、信頼性が低い、又は不整合であるとされる管理情報に管理されている限定された記録情報記録領域のみに対して検証或いはスキャンを行えば足りる。従って、結果的に、例えば複数の管理情報の全てを最新の情報に正しく、不整合なく更新するのに要する時間を大幅に短縮することが可能となる。
【００５４】
尚、上述した本発明の情報記録媒体に係る実施形態における各種態様に対応して、本発明の情報記録装置に係る他の実施形態も各種態様を採ることが可能である。
【００５５】
本発明の情報記録装置に係る他の実施形態の一の態様では、前記不整合フラグ記録手段は、前記管理情報記録手段による記録終了後に、前記不整合フラグとして、整合状態を示す他のシンボル情報を記録する。
【００５６】
この態様によれば、例えば電源の遮断等もなく正常に記録動作が終了した後、（ｉ）管理情報記録領域に記録されている管理情報の全てが最新の情報に正しく更新された場合、又は（ｉｉ）管理情報とこの管理情報に管理される記録情報記録領域の記録状態とが整合している場合において、不整合フラグとして、整合状態を示す他のシンボル情報（例えば２進数表示の「０」）が記録される。
【００５７】
その結果、整合状態を示す他のシンボル情報に従って、例えば複数の管理情報の全ては、信頼性が高く、不整合がないと把握することが可能となる。
【００５８】
（情報記録方法の実施形態）
以下、本発明の実施形態に係る情報記録方法について説明する。
【００５９】
本発明の情報記録方法に係る実施形態は、上述した実施形態に係る情報記録媒体に記録情報を記録可能である記録手段を備えた情報記録装置における情報記録方法であって、前記信頼性情報を前記信頼性情報記録領域から読み出す読出工程と、前記読出工程により読み出された信頼性情報に対応される管理情報を決定する決定工程と、前記決定された管理情報に基づいて前記記録情報を記録するように前記記録手段を制御する制御工程とを備える。
【００６０】
本発明の情報記録方法の実施形態によれば、前述した本発明の情報記録装置の実施形態の場合と同様に、例えば仮に電源の遮断等の原因により、管理情報記録領域に記録されている管理情報の少なくとも一つが最新の情報に正しく更新されなかった場合であっても、後に信頼性情報に従って信頼性の低いとされる管理情報を特定することが可能である。よって、この信頼性が低いと特定された管理情報によって管理されている記録情報記録領域を限定することが可能である。従って、この限定された記録情報記録領域を管理する管理情報について最新の情報に正しく更新すればよい。従って、管理情報の全てを最新の情報に正しく更新するのに要する時間を大幅に短縮することが可能となる。
【００６１】
尚、上述した本発明の情報記録装置に係る実施形態における各種態様に対応して、本発明の情報記録方法に係る実施形態も各種態様を採ることが可能である。
【００６２】
本発明の情報記録方法に係る実施形態の一の態様では、前記決定された管理情報に対応する信頼性情報を、暫定的に信頼性がない旨に更新する第１更新工程と、前記決定された管理情報によって管理される前記記録情報記録領域を検証する検証工程と、前記検証工程による検証完了後、前記管理情報を正しく更新すると共に、当該更新された管理情報に対応する前記信頼性情報を信頼性がある旨に確定的に更新する第２更新工程とを更に備える。
【００６３】
この態様によれば、前述した本発明の情報記録装置に係る一の態様の場合と同様に、例えば仮に電源の遮断等の原因により、管理情報記録領域に記録されている管理情報の少なくとも一つが最新の情報に正しく更新されなかった場合であっても、後に信頼性情報に従って信頼性の低いとされる管理情報をより的確に特定することが可能である。
【００６４】
本発明の情報記録方法に係る他の実施形態は、記録情報を記録するための複数の記録情報記録領域と、前記複数の記録情報記録領域を夫々管理するための複数の管理情報を記録するための管理情報記録領域と、前記複数の管理情報が正しく更新されたか否かを示す不整合フラグを前記複数の管理情報毎に記録するための不整合フラグ記録領域とを備えた情報記録媒体に前記記録情報を記録する情報記録装置における情報記録方法であって、前記記録情報を記録する記録情報記録工程と、前記管理情報を記録する管理情報記録工程と、前記不整合フラグを記録する不整合フラグ記録工程とを有し、前記不整合フラグ記録工程は、前記管理情報記録工程による記録開始前に、前記不整合フラグとして、不整合状態を示す一のシンボル情報を記録する。
【００６５】
本発明の情報記録方法の他の実施形態によれば、上述した本発明の情報記録装置の他の実施形態と同様の各種利益を享受することができる。
【００６６】
尚、上述した本発明の情報記録装置に係る実施形態における各種態様に対応して、本発明に係る情報記録方法の実施形態も各種態様を採ることが可能である。
【００６７】
本発明の情報記録方法に係る他の実施形態の一の態様では、前記不整合フラグ記録工程は、前記管理情報記録工程による記録終了後に、前記不整合フラグとして、整合状態を示す他のシンボル情報を記録する。
【００６８】
この態様によれば、上述した本発明の情報記録装置の他の実施形態の一の態様と同様の各種利益を享受することができる。
【００６９】
（コンピュータプログラムに係る実施形態）
以下、本発明の実施形態に係るコンピュータプログラムについて説明する。
【００７０】
本発明のコンピュータプログラムに係る実施形態は、上述した本発明の情報記録装置に係る実施形態（但し、その各種態様を含む）に備えられたコンピュータを制御する記録制御用のコンピュータプログラムであって、該コンピュータを、前記読出手段、前記決定手段、前記制御手段、及び前記記録手段の少なくとも一部として機能させる。
【００７１】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、例えば、通信手段等を介してコンピュータにダウンロードさせた後に実行させれば、上述した本発明の情報記録装置に係る実施形態を比較的簡単に実現できる。
【００７２】
更に、コンピュータ読取可能な媒体内のコンピュータプログラム製品に係る実施形態は上記課題を解決するために、本発明の情報記録装置に係る実施形態（但し、その各種態様を含む）に備えられたコンピュータにより実行可能なプログラム命令を明白に具現化し、該コンピュータを、前記読出手段、前記決定手段、前記制御手段、及び前記記録手段の少なくとも一部として機能させる。
【００７３】
本発明のコンピュータプログラム製品に係る実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の前記読出手段、前記決定手段、前記制御手段、及び前記記録手段の少なくとも一部を比較的容易に実施可能となる。更に具体的には、当該コンピュータプログラム製品は、上述した本発明の前記読出手段、前記決定手段、前記制御手段、及び前記記録手段の少なくとも一部として機能させるコンピュータ読取可能なコード（或いはコンピュータ読取可能な命令）から構成されてよい。
【００７４】
尚、上述した本発明の情報記録装置に係る実施形態における各種態様に対応して、本発明のコンピュータプログラムに係る実施形態も各種態様を採ることが可能である。
【００７５】
本実施形態のこのような作用及び他の利得は次に説明する実施例から明らかにされる。
【００７６】
以上説明したように、本発明の情報記録媒体に係る実施形態によれば、複数の記録情報記録領域と、管理情報記録領域と、信頼性情報記録領域とを備えているので、例えば仮に電源の遮断等の原因により、各種処理時に情報記録媒体上に管理情報が更新されなかった場合であっても、管理情報を最新の情報に正しく更新するのに要する時間を大幅に短縮することが可能となる。本発明の情報記録装置若しくは方法に係る実施形態によれば、読出手段又は工程、決定手段又は工程、前記制御手段又は工程、記録手段、若しくは各種更新手段又は工程等を備えるので、例えば仮に電源の遮断等の原因により、各種処理時に情報記録媒体上に管理情報が更新されなかった場合であっても、管理情報を最新の情報に正しく更新するのに要する時間を大幅に短縮することが可能となる。本発明のコンピュータプログラムに係る実施形態によれば、コンピュータを上述した本発明の情報記録装置に係る実施形態として機能させるので、例えば仮に電源の遮断等の原因により、各種処理時に情報記録媒体上に管理情報が更新されなかった場合であっても、管理情報を最新の情報に正しく更新するのに要する時間を大幅に短縮することが可能となる。
【実施例】
【００７７】
（情報記録媒体）
次に、図1から図６を参照して、本発明の情報記録媒体の実施例に係る追記型の２層型光ディスクについて図面に基づいて詳細に説明する。
【００７８】
先ず、図１を参照して、本発明の情報記録媒体の実施例に係る追記型の２層型光ディスクの基本構造について説明する。ここに、図１（ａ）は、本発明の情報記録媒体の実施例に係る複数の記録領域を有する光ディスクの基本構造を示した概略平面図であり、図１（ｂ）は、該光ディスクの概略断面図と、これに対応付けられた、その半径方向における記録領域構造の図式的概念図である。
【００７９】
図１（ａ）及び図１（ｂ）に示されるように、光ディスク１００は、例えば、ＤＶＤと同じく直径１２ｃｍ程度のディスク本体上の記録面に、センターホール１を中心として本実施例に係るリードインエリア１０１、データエリア１０２並びにリードアウトエリア１０３又はミドルエリア１０４が設けられている。特に、リードインエリア１０１には、例えば、レーザ光ＬＢの最適記録パワーを検出する所謂、ＯＰＣ処理（Optimum Power Calibration）を行うためのＯＰＣエリアＰＣＡ０又はＰＣＡ１が設けられている。そして、光ディスク１００の例えば、透明基板１０６に、記録層等が積層されている。そして、この記録層の各記録領域には、例えば、センターホール１を中心にスパイラル状或いは同心円状に、例えば、グルーブトラック及びランドトラック等のトラック１０が交互に設けられている。また、このトラック１０上には、データがＥＣＣブロック１１という単位で分割されて記録される。ＥＣＣブロック１１は、記録情報がエラー訂正可能なプリフォーマットアドレスによるデータ管理単位である。
【００８０】
尚、本発明は、このような三つのエリアを有する光ディスクには特に限定されない。例えば、リードインエリア１０１、リードアウトエリア１０３又はミドルエリア１０４が存在せずとも、以下に説明するデータ構造等の構築は可能である。また、後述するように、リードインエリア１０１、リードアウト１０３又はミドルエリア１０４は更に細分化された構成であってもよい。
【００８１】
特に、本実施例に係る光ディスク１００は、図１（ｂ）に示されるように、例えば、透明基板１０６に、後述される本発明に係る第１及び第２記録層の一例を構成するＬ０層及びＬ１層が積層された構造をしている。このような二層型の光ディスク１００の記録再生時には、図１（ｂ）中、上側から下側に向かって照射されるレーザ光ＬＢの集光位置をいずれの記録層に合わせるかに応じて、Ｌ０層における記録再生が行なわれるか又はＬ１層における記録再生が行われる。また、本実施例に係る光ディスク１００は、２層片面、即ち、デュアルレイヤーに限定されるものではなく、２層両面、即ちデュアルレイヤーダブルサイドであってもよい。更に、上述の如く２層の記録層を有する光ディスクに限られることなく、３層以上の多層型の光ディスクであってもよい。
【００８２】
加えて、２層型光ディスクにおける記録再生手順は、例えば二つの記録層の間でトラックパスの方向が同一であるパラレル方式でもよいし、例えば二つの記録層の間でトラックパスの方向が逆向きであるオポジット方式でもよい。尚、本実施例に係る２層型光ディスクにおけるパラレル方式及びオポジット方式による記録再生手順及び各層におけるデータ構造については、後述される。
【００８３】
次に、図２を参照して、本発明の情報記録媒体の実施例に係る２層型光ディスクのデータ構造及び該光ディスクの記録領域におけるＥＣＣブロックを構成する物理的セクタ番号並びに該光ディスクのパラレル方式による記録又は再生手順について説明する。ここに、図２は、本発明の情報記録媒体の実施例に係る光ディスクのデータ構造及び該光ディスクの記録領域におけるＥＣＣブロックを構成する物理的セクタ番号（以下適宜、セクタ番号と称す。）並びに該光ディスクのパラレル方式による記録又は再生方法を示した概念的グラフ図である。縦軸は、１６進数で表現されたセクタ番号を示し、横軸は、光ディスクの半径方向の相対的な位置を示す。
【００８４】
図２に示されるように、本発明の情報記録媒体の実施例に係る２層型光ディスク１００は、図示しない基板と該基板に積層された２層の記録層、即ち、Ｌ０層とＬ１層とを備えて構成されている。具体的には、Ｌ０層には、内周側から外周側にかけて、リードインエリア１０１−０、データエリア１０２−０及びリードアウトエリア１０３−０が設けられている。このリードインエリア１０１−０には、ＯＰＣ処理のためのＯＰＣエリアＰＣＡ０及び管理情報が記録されているマネージメント（Recording Management）エリアＭＡ等が設けられている。
【００８５】
他方、Ｌ１層にも、内周側から外周側にかけて、リードインエリア１０１−１、データエリア１０２−１及びリードアウト１０３−１が設けられている。このリードインエリア１０１−１にも、図示しないＯＰＣエリア等が設けられていてもよい。
【００８６】
以上のように２層型光ディスク１００は構成されているので、該光ディスク１００の記録又は再生の際には、後述される本発明の情報記録装置の実施例に係る情報記録再生装置の図示しない光ピックアップによって、レーザ光ＬＢは、図示しない基板の側から、即ち、図２中の下側から上側に向けて照射され、その焦点距離等が制御されると共に、光ディスク１００の半径方向における移動距離及び方向が制御される。これにより、夫々の記録層にデータが記録され、又は、記録されたデータが再生される。
【００８７】
特に、本発明の情報記録媒体の実施例に係る２層型光ディスクの記録又は再生手順としてパラレル方式が採用されている。このパラレル方式では、Ｌ０層における記録又は再生が終了されると、Ｌ１層における記録又は再生が開始される時に、光ディスクの最外周にある光ピックアップが再度、最内周へ向かって移動する必要があるためＬ０層からＬ１層への切り換え時間がその分だけ掛かってしまう。
【００８８】
或いは、本発明の情報記録媒体の実施例に係る２層型光ディスクの記録又は再生手順としてオポジット方式が採用されてもよい。ここに、オポジット方式とは、後述される本発明の情報記録装置の実施例に係る情報記録再生装置の光ピックアップが、Ｌ０層において、内周側から外周側へ向かって、即ち、図２中の矢印の右方向へ移動する。他方、Ｌ１層においては、Ｌ０層とは逆に、光ピックアップが外周側から内周側へ向かって、即ち、図２中の矢印とは逆に左方向へ移動することによって、２層型光ディスクにおける記録又は再生が行われる方式である。このオポジット方式では、Ｌ０層における記録又は再生が終了されると、Ｌ１層における記録又は再生が開始される時に、光ディスクの最外周にある光ピックアップが再度、最内周へ向かって移動する必要はなく、例えば、ミドルエリア等の緩衝用エリアにおいて、Ｌ０層からＬ１層へ焦点距離を切り換えるだけでよいため、Ｌ０層からＬ１層への切り換え時間がパラレル方式と比較して短いという利点があるため大容量のコンテンツ情報の記録には採用されている。
【００８９】
再び、本発明の情報記録媒体の実施例に係る２層型光ディスクの記録又は再生手順としてパラレル方式の話へと戻る。このパラレル方式においては、具体的には、先ず、Ｌ０層において、光ピックアップがリードインエリア１０１−０、データエリア１０２−０及びリードアウトエリア１０３−０を内周側から外周側へ移動するにつれて光ディスク１００の記録領域におけるセクタ番号は増加していく。より具体的には、光ピックアップが、リードインエリア１０１−０の開始位置（図２中のセクタ番号が“０２００００ｈ”のＡ地点を参照）から、データエリア１０２−０の開始位置、データエリア１０２−０の終了位置に順次アクセスして、緩衝の役目を果たすリードアウトエリア１０３−０の終了位置（図２中のセクタ番号が“５１ＦＦＦＦｈ”のＢ地点を参照）へと移動されることによって、Ｌ０層における記録又は再生が行われる。
【００９０】
他方、Ｌ１層においても、Ｌ０層と同様に、光ピックアップがリードインエリア１０１−１、データエリア１０２−１及びリードアウトエリア１０３−１を内周側から外周側へ移動するにつれて光ディスク１００の記録領域におけるセクタ番号は増加していく。より具体的には、光ピックアップが、緩衝の役目を果たすリードインエリア１０１−１の開始位置（図２中のセクタ番号が“０２００００ｈ”のＡ地点を参照）から、データエリア１０２−１の開始位置、データエリア１０２−１の終了位置に順次アクセスして、リードアウトエリア１０３−１の終了位置（図２中のセクタ番号が“５１ＦＦＦＦｈ”のＢ地点を参照）へと移動されることによって、Ｌ１層における記録又は再生が行われる。
【００９１】
次に、図３を参照して、本発明の情報記録媒体の実施例に係る光ディスクの記録領域の構造並びにその光ディスクに記録済みの記録領域及びセクタ番号の一具体例について説明する。ここに、図３は、本発明の情報記録媒体の実施例に係る光ディスクの記録領域の構造並びにその光ディスクに記録済みの記録領域及びセクタ番号の一具体例を示した図式的なデータ構造図である。尚、光ディスクの記録領域の構造については、前述した図２と概ね同様である。また、図３においては、説明の便宜上、本発明の情報記録媒体の実施例に係る２層型光ディスクのＬ０層についてのみ示している。
【００９２】
図３に示されるように、本発明に係る「管理情報記録領域」の一具体例を構成するマネージメントエリアＭＡには、本発明に係る「管理情報」の一具体例を構成するスペースビットマップ情報１２０、ディフェクトリスト情報１３０及びＯＰＣポインター情報１４０等が記録される。
【００９３】
ここに、スペースビットマップ情報１２０とは、各ブロックについて「記録済み」又は「未記録」等の記録状態を示すフラグ等の情報を、光ディスク１００の全体についてまとめた情報である。具体的には、スペースビットマップ情報１２０は、情報記録媒体の記録領域のセクタのアドレスで指定されるブロックの夫々に対して「記録済み」であるか又は「未記録」であるかの記録状態を識別することができるフラグ等の情報を、光ディスク１００の全体（全ＥＣＣブロック）についてまとめた情報である。特に、スペースビットマップ情報１２０は、光ディスク１００に対してデータを記録する情報記録装置によって、実際の記録動作に先立って先ず読み出された後に、情報記録装置に内蔵されたメモリ内で、情報記録媒体に対して記録を行う機会がある度に更新又は作成される。更にその後、しかるべきタイミング、例えば記録が終了するたびに、又は、ＥＪＥＣＴ（ディスクの排出）等の操作が行われる時等に一括して、このように更新又は作成された最新のスペースビットマップ情報が、マネージメントエリアＭＡ内に書き込まれることになる。これにより、正常終了している限りは、有効なスペースビットマップ情報１２０が、光ディスク１００上に書き込まれていることになる。尚、本実施例では、「記録済み状態」の記録領域（例えば、セクタ番号で指定される１ＥＣＣブロック等）に対しては、スペースビットマップ情報１２０中に、“１”のフラグが立てられ、「未記録状態」の記録領域に対しては、スペースビットマップ情報１２０中に、“０”のフラグが立てられる。具体的には、図３に示されるように、本実施例の一具体例では、記録領域内の位置情報を示すセクタ番号は例えば、“５１ＦＦＦＦｈ”のように１６進数で表現される。尚、図３中で灰色に塗潰した領域は、記録済みの記録領域であり、塗り潰されていない空白の領域は、未記録の記録領域である。より具体的には、４．７ギガバイトの記録容量を有するＤＶＤ−ＲＷは、１セクタが２０４８バイト、１つのブロックが１６セクタ（約３２．８キロバイト）である。よって、このブロックの単位で記録されたスペースビットマップ情報１２０のデータ量は、４．７ギガバイト／（２０４８×１６）バイト／８＝約１７．９キロバイトとなり、１つのブロックに十分に入りきる程度のデータ量である。尚、スペースビットマップ情報１２０は、光ディスク１００の記録領域全体についての情報ではなく、例えば、ユーザデータエリアＵＤ又はリードインエリア１０１だけについての情報でもよい。
【００９４】
尚、スペースビットマップ情報の代わりに、例えば“０”から“９９”までのインデックス番号を持つシーケンシャル記録情報（トラック情報）等でもよい。或いは、例えば、ディスク管理情報等でもよい。或いは、或いは、例えば、ライトワンスメディアの一時的ディフェクト管理情報（ＴＤＭＳ：Temporary Defect Management Structure）が分散して記録された場合の記録場所を指し示すポインター情報等でも良い。
【００９５】
ディフェクトリスト情報１３０とは、ディフェクト管理を行うために作成される、例えば、アドレス情報がテーブル形式でまとめられた管理情報である。より詳細には、光ディスク、磁気ディスク、光磁気ディスク等の高密度記録媒体における記録データの記録及び読取の信頼性を向上させるための技術として、ディフェクト管理がある。即ち、ディフェクトが存在するときには、そのディフェクトが存在する場所に記録すべきデータ又は記録されたデータを、記録媒体上の他の領域（これを「スペアエリアＳＡ１又はＳＡ２」と呼ぶ。）に記録する。このように、ディフェクトにより記録不全又は読取不全となるおそれがある記録データをスペアエリアＳＡ１又はＳＡ２に退避させることにより、記録データの記録及び読取の信頼性を向上させることができる。一般に、ディフェクト管理を行うために、ディフェクトリスト情報を作成する。ディフェクトリスト情報には、記録媒体上に存在するディフェクトの位置を示すアドレス情報（所謂、「退避元アドレス」）と、ディフェクトが存在する場所に記録すべきであったデータ又は記録されていたデータを退避させたスペアエリアの場所（例えばスペアエリア内の記録位置：所謂、「退避先アドレス」）を示すアドレス情報とが記録される。ディフェクトリスト情報の作成は、記録媒体をイニシャライズないしフォーマットするときに行われる。また、ディフェクトリスト情報の作成は、記録データを当該記録媒体に記録するときにも行われる。記録データの記録等が数度行われるときには、記録データの記録等が行われる度にディフェクトリスト情報の作成又は更新が行われる。記録データを記録媒体に記録するときには、ディフェクトリスト情報を参照する。これにより、ディフェクトの存在する場所を避けながら記録データを記録媒体に記録することができる。一方、記録媒体に記録された記録データを再生するときにも、ディフェクトリスト情報を参照する。このようにディフェクト管理により、通常の記録領域に記録された記録データと、ディフェクトの存在によりスペアエリアに記録されている記録データとをディフェクトリスト情報に基づいて確実に読み取ることができる。
【００９６】
ＯＰＣポインター情報１４０とは、レーザ光の最適記録パワーを検出するＯＰＣ処理を行う際に、ＯＰＣエリアにおいて、次に試し書きされる場所の、例えばセクタ番号等のアドレス情報を指し示した情報である。特にライトワンスメディアでは、未使用の領域を指し示す。
【００９７】
特に、本実施例においては、本発明の「信頼性情報記録領域」の一具体例を構成するマネージメントエリアＭＡには、本発明に係る「信頼性情報」、又は「不整合フラグ」の一具体例を構成する信頼性フラグ群１５０が記録される。ここに、信頼性フラグ群１５０とは、各種管理情報が最新の情報に更新されているか否かの信頼性を示すフラグのまとまりである。具体的には、例えば、スペースビットマップ情報１２０、ディフェクトリスト情報及びＯＰＣポインター情報等の管理情報が最新の情報に正しく更新されているか否かの信頼性を示すフラグが、各種管理情報毎についてまとめられた情報である。より具体的には、Ｌ０層及びＬ１層の夫々に対応するスペースビットマップ情報１２０が最新の情報に正しく更新されているか否かという信頼性を示すフラグ（データ量：Ｌ０層及びＬ１層の夫々について１ビットづつの合計２ビット）、ディフェクトリスト情報が最新の情報に正しく更新されているか否かの信頼性を示すフラグ（データ量：１ビット）、及び、ＯＰＣポインター情報が最新の情報に正しく更新されているか否かの信頼性を示すフラグ（データ量：１ビット）がまとめられた情報（データ量の総合計：２＋１＋１＝４ビット）である。尚、このように、本実施例では、複数の管理情報の夫々に対する信頼性情報を、信頼性フラグ群１５０として一つのマネージメントエリアＭＡにまとめて記録されているので、複数の管理情報の夫々に対する信頼性情報を１回のアクセス又は読出し動作で簡単に取得する事が可能となる。更に、また、本実施例では、複数の管理情報と、その夫々に対する信頼性フラグ群１５０とを、マネージメントエリアＭＡにまとめて記録されているので、これらの管理情報と信頼性フラグ群１５０とを１回のアクセス又は読出し動作で簡単に取得する事が可能となる。
【００９８】
より具体的には、後述されるように、例えば、Ｌ０層のスペースビットマップ情報１２０が、Ｌ０層の実際の記録状態と整合性が無く、最新の情報に正しく更新されていない場合には、後述される信頼性フラグ１５０−Ｓ０には、“１”のフラグが立てられる。他方、Ｌ０層のスペースビットマップ情報１２０が、Ｌ０層の実際の記録状態と整合性がとれ、最新の情報に正しく更新されている場合には、“０”のフラグが立てられる。ディフェクトリスト情報及びＯＰＣポインター情報に対応する後述される信頼性フラグ１５０−Ｄ及び１５０−Ｐについても同様である。
【００９９】
次に、図４を参照して、本発明の情報記録媒体の実施例に係る光ディスクにおける信頼性情報の一具体例について説明する。ここに、図４は、本発明の情報記録媒体の実施例に係る光ディスクにおいて、記録領域における物理的セクタ番号、スペースビットマップ情報、及び、各種管理情報に対応する信頼性情報の一具体例である信頼性フラグ群を示した概念的なテーブルである。
【０１００】
図４に示されるテーブルにおいて、左側から右側の方向で、列（カラム：Column）は、順に、Ｌ０層におけるＥＣＣブロック単位の先頭及び後尾に位置するセクタ番号、管理情報の一具体例であるＬ０層のスペースビットマップ情報１２０、Ｌ０層のスペースビットマップ情報に対応する信頼性フラグ１５０−Ｓ０、Ｌ１層のスペースビットマップ情報に対応する信頼性フラグ１５０−Ｓ１、ディフェクトリスト情報に対応する信頼性フラグ１５０−Ｄ、及び、ＯＰＣポインター情報に対応する信頼性フラグ１５０−Ｐを示す。尚、２層型光ディスクは、パラレル方式のため、セクタ番号はＬ０層とＬ１とにおいて共通でもよい。
【０１０１】
具体的には、例えば、Ｌ０層のスペースビットマップ情報１２０が、Ｌ０層の実際の記録状態と整合性が無く、最新の情報に正しく更新されていない場合には、後述される信頼性フラグ１５０−Ｓ０には、“１”のフラグが立てられる。他方、Ｌ０層のスペースビットマップ情報１２０が、Ｌ０層の実際の記録状態と整合性がとれ、最新の情報に正しく更新されている場合には、“０”のフラグが立てられる。より具体的には、前回記録時の処理によって、Ｌ０層のスペースビットマップ情報１２０において、前述のように、Ｌ０層の記録領域のセクタ番号で指定されるＥＣＣブロックのうち「記録済み」状態のブロックには、Ｌ０層のスペースビットマップ情報１２０のフィールドに“１”のフラグが立てられ、「未記録」状態のブロックには、“０”のフラグが立てられる。その後、今回の記録動作の際に、先ずこのＬ０層のスペースビットマップ情報１２０が情報記録再生装置に取り込まれる。そして、今回の記録動作によって、例えば、記録領域のセクタ番号が“１０００００ｈ”から“１０ＦＦＦＦｈ”までのブロックに対して記録情報が正常に記録された場合、Ｌ０層のスペースビットマップ情報１２０において、「記録済み状態」として“１”のフラグが記録されるにも関わらず、このＬ０層のスペースビットマップ情報１２０及び信頼性フラグ１５０−Ｓ０が更新されていないタイミングで、情報記録再生装置の本体の電源が遮断された場合、光ディスク１００上ではこのＬ０層のスペースビットマップ情報１２０が最新の情報に正しく更新されていない。即ち、光ディスク１００上における記録情報の記録が実際に完了しているにも拘わらず、光ディスク１００上における、記録情報が記録されたブロックに対応するＬ０層のスペースビットマップ情報１２０は「未記録状態」を示す“０”のフラグのままで、最新の情報に正しく更新されていない（図４中、セクタ番号が“１０００００ｈ”から“１０ＦＦＦＦｈ”における済フラグ１２１のフィールドにおける“×”マーク参照）。この場合、光ディスク１００上では、Ｌ０層のスペースビットマップ情報１２０に対応する信頼性フラグ１５０−Ｓ０のフィールドだけに、記録情報の記録に先立って実行される暫定的な更新処理により“１”のフラグ等の情報が立てられたままである。よって、Ｌ０層のスペースビットマップ情報１２０が最新の情報に正しく更新されていない事実を認識することができる。
【０１０２】
加えて、Ｌ１層のスペースビットマップ情報に対応する信頼性フラグ１５０−Ｓ１、ディフェクトリスト情報に対応する信頼性フラグ１５０−Ｄ、及び、ＯＰＣポインター情報に対応する信頼性フラグ１５０−Ｐについても同様にして、実際の記録状態と整合性が無く、各種管理情報が、最新の情報に正しく更新されていない場合には、“１”のフラグが立てられる。他方、実際の記録状態と整合性がとれ、各種管理情報が、最新の情報に正しく更新されている場合には、“０”のフラグが立てられる。
【０１０３】
具体的には、前述のように、例えば仮に電源の遮断等の原因により、Ｌ０層のスペースビットマップ情報が最新の情報に正しく更新されなかった場合であっても、後に信頼性フラグ１５０−Ｓ０に従って信頼性の低いとされるＬ０層のスペースビットマップ情報を特定することが可能である。よって、この信頼性が低いと特定されたＬ０層のスペースビットマップ情報によって管理されている、例えば、Ｌ０層のユーザデータエリア１０９−０を限定することが可能である。従って、この限定されたＬ０層のユーザデータエリア１０９−０を管理するＬ０層のスペースビットマップ情報について最新の情報に正しく更新すればよい。即ち、情報記録媒体の記録領域の全体に対して検証或いはスキャン、即ち読み込みを行う必要はなく、信頼性が低いとされるＬ０層のスペースビットマップ情報に管理されている限定されたＬ０層のユーザデータエリア１０９−０のみに対して検証或いはスキャンを行えば足りる。従って、管理情報の全てを最新の情報に正しく更新するのに要する時間を大幅に短縮することが可能となる。より具体的には、前述した４種類の管理情報に対応する信頼性フラグを１個づつ、合計４個、即ち、４ビットのデータ量だけ信頼性フラグ群は備えられている。このように、本実施例に係る２層型光ディスクでは、後述される比較例と比べて、管理情報の数に比例するデータ量の信頼性フラグ群を必要とするが、管理情報を最新の情報に正しく更新させるための時間を、例えば“１／４”倍に短縮することが可能である。尚、４ビットのデータ量も１セクタ（２ＫＢ）に十二分に記録可能である。加えて、ＢＤ−ＲＥ等の記録媒体のように大容量になればなるほど、時間短縮の効果は大きくなることは自明である。
【０１０４】
特に、本実施例において、前述のように、記録領域の使用方法に応じて分類して各種管理情報を定義すると大変有効である。例えば、スペアエリアＳＡ１又はＳＡ２、ユーザデータエリア１０９並びにＯＰＣエリアＰＣＡ０に対応して、各種管理情報を分類すると大変有効である。何故ならば、これらの記録領域は、使用又は記録される時期やタイミングが類似している。よって、これらの記録領域夫々を管理する管理情報に対して、信頼性フラグ１５０−Ｓ０等が設定された場合、仮に、電源の遮断等が発生しても、空間的局所性及び時間的局所性によって、空間的に近くのブロック等に短時間に記録される可能性が高いので、各種管理情報の信頼性が低いとして特定される記録領域の範囲を最小限とすることが可能であり、スキャンする時間及び最新のスペースビットマップ情報１２０に更新する時間の更なる短縮化、効率化を実現することが可能である。
【０１０５】
次に、図５及び図６を参照して、本実施例の作用効果について検討を加える。ここに、図５は、比較例に係る光ディスクの記録領域の構造並びにその光ディスクに記録済みの記録領域及びセクタ番号の一具体例を示した図式的なデータ構造図である。図６は、比較例に係る光ディスクにおいて、記録領域における物理的セクタ番号、スペースビットマップ情報、及び、信頼性フラグを示した概念的なテーブルである。尚、図５に示される光ディスクの記録領域の構造については、前述した図３と概ね同様である。
【０１０６】
図５に示した、マネージメントエリアＭＡには、前述のように、本発明に係る「管理情報」の一例を構成するスペースビットマップ情報１２０が記録される。また、マネージメントエリアＭＡには、比較例に係る管理情報の信頼性を示す信頼性情報の一例を構成する信頼性フラグ１５１が記録される。
【０１０７】
この比較例では、信頼性情報は、複数の管理情報の夫々と対応していなく、管理情報全体の信頼性を１つだけを示している。よって、信頼性情報により、仮に、信頼性がないと判定された場合、複数の管理情報のどの種類の管理情報の信頼性がないのか特定することができない。よって、すべての管理情報について、最新の情報に正しく更新されたかどうかを検証或いはスキャンすることが必要となる。そのため、信頼性がある管理情報に対しても、検証或いはスキャンが必要となり、具体的には、記録領域の全体を検証或いはスキャンする必要性も生じ、大幅な時間が費やされてしまう。
【０１０８】
より具体的には、記録領域全体のスペースビットマップ情報１２０が正しく更新されたかどうかを示す情報として、信頼性フラグ１５１を１個だけ備えている。具体的には、光ディスク１００が、後述する情報記録再生装置に挿入された時に、信頼性フラグ１５１には“１”のフラグ等の情報が立てられ、最新のスペースビットマップ情報１２０に正常に更新された場合には、光ディスク１００が排出される時に“０”のフラグにリセットされる。他方、データが正常に光ディスク１００に記録されたにも関わらず、後述される情報記録再生装置の本体の電源が遮断され、記録領域全体のスペースビットマップ情報１２０が最新の情報に正しく更新されていない場合には、信頼性フラグ１５１のフィールドに、“１”のフラグ等の情報が立てられたままである。このように信頼性フラグ１５１によって、いずれかのブロックに対応するスペースビットマップ情報１２０に信頼性がないと判定された場合でも、このスペースビットマップ情報１２０を正常に更新するためには、例えば記録領域の全体を検証或いはスキャンする必要性が生じ、大幅な時間が費やされてしまう。
【０１０９】
これに対して図１から図４を参照して説明した本実施例の光ディスク１００によれば、例えば仮に電源の遮断等の原因により、例えば、Ｌ０層のスペースビットマップ情報１２０が最新の情報に正しく更新されなかった場合であっても、後に信頼性フラグ１５０−Ｓ０に従って信頼性の低いとされるＬ０層のスペースビットマップ情報１２０を特定することが可能である。よって、この信頼性が低いと特定されたＬ０層のスペースビットマップ情報１２０によって管理されている記録領域（例えば、ユーザデータエリア１０９−０）を限定することが可能である。従って、この限定されたユーザデータエリア１０９−０を管理するＬ０層のスペースビットマップ情報１２０について最新の情報に正しく更新すればよい。即ち、情報記録媒体の記録領域の全体に対して検証或いはスキャン、即ち読み込みを行う必要はなく、信頼性が低いとされるＬ０層のスペースビットマップ情報１２０に管理されている限定されたユーザデータエリア１０９−０のみに対して検証或いはスキャンを行えば足りる。従って、結果的に、各種管理情報の全てを最新の情報に正しく更新するのに要する時間を大幅に短縮することが可能となる。よって、比較例と比べて各段に有利である。
【０１１０】
（情報記録再生装置）
次に、図７から図１０を参照して、本発明の情報記録装置の実施例の構成及び動作について詳細に説明する。特に、本実施例は、本発明に係る情報記録装置を光ディスク用の情報記録再生装置に適用した例である。
【０１１１】
先ず、図７を参照して、本発明の情報記録装置に係る実施例における情報記録再生装置３００及び、ホストコンピュータ４００の構成について説明する。ここに、図７は、本発明の情報記録装置に係る実施例における情報記録再生装置及び、ホストコンピュータのブロック図である。尚、情報記録再生装置３００は、光ディスク１００に記録データを記録する機能と、光ディスク１００に記録された記録データを再生する機能とを備える。
【０１１２】
図７を参照して情報記録再生装置３００の内部構成を説明する。情報記録再生装置３００は、ドライブ用のＣＰＵ（Central Processing Unit）３５４の制御下で、光ディスク１００に情報を記録すると共に、光ディスク１００に記録された情報を読み取る装置である。
【０１１３】
情報記録再生装置３００は、光ディスク１００、スピンドルモータ３５１、光ピックアップ３５２、信号記録再生手段３５３、ＣＰＵ（ドライブ制御手段）３５４、メモリ３５５、データ入出力制御手段３０６、及びバス３５７を備えて構成されている。また、ホストコンピュータ４００は、ＣＰＵ３５９、メモリ３６０、操作制御手段３０７、操作ボタン３１０、表示パネル３１１、及びデータ入出力制御手段３０８を備えて構成される。
【０１１４】
特に、情報記録再生装置３００と、ホストコンピュータ４００を同一筐体内に収めることにより、或いは、ＣＰＵ（ドライブ制御手段）３５４、データ入出力制御手段３０６、及びバス３５７によって、通信手段等が構成されていてもよい。
【０１１５】
スピンドルモータ３５１は光ディスク１００を回転及び停止させるもので、光ディスクへのアクセス時に動作する。より詳細には、スピンドルモータ３５１は、図示しないサーボユニット等によりスピンドルサーボを受けつつ所定速度で光ディスク１００を回転及び停止させるように構成されている。
【０１１６】
光ピックアップ３５２は光ディスク１００への記録再生を行うもので、半導体レーザ装置とレンズから構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。
【０１１７】
信号記録再生手段３５３は、スピンドルモータ３５１と光ピックアップ３５２を制御することで光ディスク１００に対して記録再生を行う。より具体的には、信号記録再生手段３５３は、例えば、レーザダイオード（ＬＤ）ドライバ及びヘッドアンプ等によって構成されている。レーザダイオードドライバ（ＬＤドライバ）は、光ピックアップ３５２内に設けられた図示しない半導体レーザを駆動する。ヘッドアンプは、光ピックアップ３５２の出力信号、即ち、光ビームの反射光を増幅し、該増幅した信号を出力する。より詳細には、信号記録再生手段３５３は、ＯＰＣ処理時には、ＣＰＵ３５４の制御下で、図示しないタイミング生成器等と共に、ＯＰＣパターンの記録及び再生処理により最適なレーザパワーの決定が行えるように、光ピックアップ３５２内に設けられた図示しない半導体レーザを駆動する。特に、信号記録再生手段３５３は、光ピックアップ３５２と共に、本発明に係る「記録手段」及び「読出手段」の一例を構成する。
【０１１８】
メモリ３５５は、記録再生データのバッファ領域や、信号記録再生手段３５３で使用出来るデータに変換する時の中間バッファとして使用される領域など情報記録再生装置３００におけるデータ処理全般及びＯＰＣ処理において使用される。また、メモリ３５５はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。
【０１１９】
ＣＰＵ（ドライブ制御手段）３５４は、信号記録再生手段３５３及びメモリ３５５と、バス３５７を介して接続され、各種手段に指示を行うことで、情報記録再生装置３００全体の制御を行う。通常、ＣＰＵ３５４が動作するためのソフトウェア又はファームウェアは、メモリ３５５に格納されている。特に、ＣＰＵ３５４は、光ピックアップ３５２、スピンドルモータ３５１及び信号記録再生手段３５３と共に、本発明に係る「決定手段」、「制御手段」及び「第１及び第２更新手段」の一例を構成する。
【０１２０】
データ入出力制御手段３０６は、情報記録再生装置３００に対する外部からのデータ入出力を制御し、メモリ３５５上のデータバッファへの格納及び取り出しを行う。情報記録再生装置３００とＳＣＳＩや、ＡＴＡＰＩなどのインターフェースを介して接続されている外部のホストコンピュータ４００（以下、適宜ホストと称す）から発行されるドライブ制御命令は、データ入出力制御手段３０６を介してＣＰＵ３５４に伝達される。また、記録再生データも同様にデータ入出力制御手段３０６を介して、ホストコンピュータ４００とやり取りされる。
【０１２１】
操作制御手段３０７はホストコンピュータ４００に対する動作指示受付と表示を行うもので、例えば記録又は再生といった操作ボタン３１０による指示をＣＰＵ３５９に伝える。ＣＰＵ３５９は、操作制御手段３０７からの指示情報を元に、データ入出力手段３０８を介して、情報記録再生装置３００に対して制御命令（コマンド）を送信し、情報記録再生装置３００全体を制御する。同様に、ＣＰＵ３５９は、情報記録再生装置３００に対して、動作状態をホストに送信するように要求するコマンドを送信することができる。これにより、記録中や再生中といった情報記録再生装置３００の動作状態が把握できるためＣＰＵ３５９は、操作制御手段３０７を介して蛍光管やＬＣＤなどの表示パネル３１１に情報記録再生装置３００の動作状態を出力することができる。
【０１２２】
以上説明した、情報記録再生装置３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ３６０に格納されたプログラムをＣＰＵ３５９で実行させることでレコーダ機器としての動作を行っている。また、別の具体例では、情報記録再生装置３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０６及び３０８を介して接続されており、ホストコンピュータにインストールされているライティングソフトウェア等のアプリケーションが、ディスクドライブを制御する。
【０１２３】
（情報記録再生方法）
次に、図８から図１０を参照して、図７において構成を説明した本発明の情報記録装置に係る実施例における情報記録再生装置３００によって、信頼性フラグ群１５０に基づいて、各種管理情報が光ディスク上で最新の情報に正しく更新される動作及び記録動作について詳細に説明する。ここに、図８は、本発明の情報記録装置に係る実施例における情報記録再生装置において信頼性情報の一例を構成する信頼性フラグ群１５０に基づいて、各種管理情報がメモリ上で更新される動作を示すフローチャートである。尚、それぞれの処理における動作は、基本的には、ホストコンピュータ４００内の操作ボタン３１０から情報記録再生装置３００に対するコマンドが発行されることにより指示され、光ディスク１００へのデータの記録及び光ディスク１００からのデータの再生は情報記録再生装置３００が実行する。
【０１２４】
先ず、図８を参照して、情報記録再生装置３００において信頼性情報の一例を構成する信頼性フラグ群１５０に基づいて、各種管理情報が、例えば、メモリ（ドライブ）３５５上で更新される動作について説明する。
【０１２５】
先ず、本実施例における情報記録再生装置３００に電源が投入され、起動される（ステップＳ１０１）。尚、ここでは、光ディスク１００は装着されていると仮定する。
【０１２６】
次に、記録動作を行う前に、ＣＰＵ３５４は情報記録再生装置３００に対してディスク装着状態であるかどうかを確認した後、例えば、記録情報読み出しコマンドを発行し、光ピックアップ３５２は光ディスク１００上のマネージメントエリアＭＡから最新の信頼性フラグ群１５０の読み出しを行い、ＣＰＵ３５４の制御下で、バス３５７を通じて、信頼性フラグ群１５０を、メモリ３５５の例えば、ＲＡＭ領域に格納する（ステップＳ１０２）。
【０１２７】
各種管理情報は、ステップＳ１０２の信頼性フラグ群１５０と同様にして、情報記録再生装置３００のメモリ３５５の例えば、ＲＡＭ領域に格納される（ステップＳ１０３）。
【０１２８】
次に、情報記録再生装置３００は、不揮発性のメモリ３５５に格納された信頼性フラグ群１５０が全て“０”であるか否かの判定を行う（ステップＳ１０４）。ここで、信頼性フラグ群１５０が、全て“０”ではない場合（ステップＳ１０４：Ｎｏ）、更に、スペースビットマップ情報１２０に対応する信頼性フラグ１５０−Ｓに“１”が立っているか否かの判定が行われる（ステップＳ１０５）。ここで、スペースビットマップ情報１２０に対応する信頼性フラグ１５０−Ｓに“１”のフラグが立っている場合は（ステップＳ１０５：Ｙｅｓ）、スペースビットマップ情報１２０の信頼性が低いので、このスペースビットマップ情報１２０はメモリ３５５上で最新の情報に正しく更新される。具体的には、信頼性フラグ１５０−Ｓ０又は１５０−Ｓ１に“１”のフラグが立っている、例えば、Ｌ０層に加えて又は代えてＬ１層において、検証或いはスキャン、即ち読み込みが行われ、記録領域と未記録領域が判別され、不揮発性のメモリ３５５上に記録されていたスペースビットマップ情報１２０が最新の情報に正しく更新されると同時に、信頼性フラグ１５０−Ｓ０又は１５０−Ｓ１は、メモリ３５５上で“０”に更新される（ステップＳ１０６）。尚、記録領域のスキャンに際しては、更新前のスペースビットマップ情報１２０に示された未記録領域を優先的にスキャンすると効率的である。
【０１２９】
他方、ステップＳ１０５の判定の結果、スペースビットマップ情報１２０に対応する信頼性フラグ１５０−Ｓに“０”のフラグが立っている場合は（ステップＳ１０５：Ｎｏ）、スペースビットマップ情報１２０は最新の情報に正しく更新されているので、更に、ディフェクトリスト情報１３０に対応する信頼性フラグ１５０−Ｄに“１”が立っているか否かの判定が行われる（ステップＳ１０７）。ここで、ディフェクトリスト情報１３０に対応する信頼性フラグ１５０−Ｄに“１”のフラグが立っている場合は（ステップＳ１０７：Ｙｅｓ）、ディフェクトリスト情報１３０の信頼性が低いので、このディフェクトリスト情報１３０はメモリ３５５上で最新の情報に正しく更新されると同時に、信頼性フラグ１５０−Ｄは、メモリ３５５上で“０”に更新される（ステップＳ１０８）。
【０１３０】
他方、ステップＳ１０７の判定の結果、ディフェクトリスト情報１３０に対応する信頼性フラグ１５０−Ｄに“０”のフラグが立っている場合は（ステップＳ１０７：Ｎｏ）、ディフェクトリスト情報１３０は最新の情報に正しく更新されているので、ＯＰＣポインター情報１４０に対応する信頼性フラグ１５０−Ｐに“１”が立っていることになるので、ＯＰＣポインター情報１４０の信頼性が低いので、このＯＰＣポインター情報１４０はメモリ３５５上で最新の情報に正しく更新されると同時に、信頼性フラグ１５０−Ｐは、メモリ３５５上で“０”に更新される（ステップＳ１０９）。
【０１３１】
以上、ステップＳ１０４からＳ１０９をループすることで、最終的には、信頼性フラグ群１５０のすべてが“０”となる。
【０１３２】
他方、ステップＳ１０４の判定の結果、信頼性フラグ群１５０が全て“０”である場合は（ステップＳ１０４：Ｙｅｓ）、スペースビットマップ情報１２０、ディフェクトリスト情報１３０及びＯＰＣポインター情報１４０等の各種管理情報は全て最新の情報を示しているので、メモリ３５５上での一連の更新処理は行われない。
【０１３３】
次に、図９を参照して、情報記録再生装置３００の正常時の記録動作及び光ディスク上での更新動作について説明する。ここに、図９は、本発明の情報記録装置に係る実施例における情報記録再生装置において正常時の記録動作を示すフローチャートである。
【０１３４】
情報記録再生装置３００はＯＰＣ処理の開始指示、即ちＯＰＣコマンドの発行を待つ（ステップＳ１１０）。ここで、記録開始に先立って、ＯＰＣコマンドの発行があった場合（ステップＳ１１０：Ｙｅｓ）、更に、光ディスクの挿入後、最初のＯＰＣ処理か否かが判定される（ステップＳ１１１）。ここで、最初のＯＰＣ処理であった場合（ステップＳ１１１：Ｙｅｓ）、ＯＰＣポインター情報１４０に対応する信頼性フラグ１５０−Ｐに“１”のフラグが暫定的に光ディスク１００上のマネージメントエリアＭＡに記録される（ステップＳ１１２）。
【０１３５】
次に、実際のＯＰＣ処理が行われ、試し書き用データがＯＰＣエリアＰＣＡ０又はＰＣＡ１上のＯＰＣポインター情報１４０によって指し示された場所に記録される（ステップＳ１１３）。ＯＰＣ処理の完了ステータスを受領したプロッサ３５４は、使用済みの記録領域を識別し、メモリ３５５上に記録されたＯＰＣポインター情報１４０の更新を行う（ステップＳ１１４）。ＯＰＣポインター情報１４０の更新完了後、信頼性フラグ１５０−Ｐに“０”が確定的に光ディスク１００上のマネージメントエリアＭＡに記録される（ステップＳ１１５）。尚、このステップＳ１１５の処理は、追記型光ディスクにおいては、記録領域の消費が大きくなるので、後述されるステップＳ１３２において、他の各種管理情報とまとめて行ってもよい。
【０１３６】
他方、ステップＳ１１１の判定の結果、最初のＯＰＣ処理でない場合（ステップＳ１１１：Ｎｏ）、前述したステップＳ１１２は省略される。
【０１３７】
他方、ＯＰＣコマンドの発行がなかった場合（ステップＳ１１０：Ｎｏ）、情報記録再生装置３００は記録開始指示、即ち書き込みコマンドの発行を待つ（ステップＳ１１６）。ここで、例えば、操作ボタン３１０で録画ボタンが押されると、ＣＰＵ３５４がこれを検知し、データ入出力制御手段３０６からのデータがメモリ３５５に格納されると、ＣＰＵ３５４は、記録開始指示、即ち書き込みコマンドの発行があったと判断する（ステップＳ１１６：Ｙｅｓ）。更に、光ディスクの挿入後、最初の記録動作か否かが判定される（ステップＳ１１７）。ここで、最初の記録動作であった場合（ステップＳ１１７：Ｙｅｓ）、スペースビットマップ情報１２０に対応する信頼性フラグ１５０−Ｓに“１”のフラグが暫定的に光ディスク１００上のマネージメントエリアＭＡに記録される（ステップＳ１１８）。
【０１３８】
次に、実際の記録動作が行われ、記録情報が、例えば、ユーザデータエリア１０９−０上のスペースビットマップ情報１２０に登録されている未記録領域において記録される（ステップＳ１１９）。記録動作の完了ステータスを受領したプロッサ３５４は、記録済みの記録領域を識別し、メモリ３５５上に記録されたスペースビットマップ情報１２０の更新を行う（ステップＳ１２０）。スペースビットマップ情報１２０の更新完了後、信頼性フラグ１５０−Ｓに“０”が確定的に光ディスク１００上のマネージメントエリアＭＡに記録される（ステップＳ１２１）。尚、このステップＳ１２１の処理は、前述したステップＳ１１５において説明したように、後述されるステップＳ１３２において、他の各種管理情報とまとめて行ってもよい。
【０１３９】
他方、ステップＳ１１７の判定の結果、最初の記録動作でない場合（ステップＳ１１７：Ｎｏ）、前述したステップＳ１１８は省略される。
【０１４０】
他方、書き込みコマンドの発行がなかった場合（ステップＳ１１６：Ｎｏ）、情報記録再生装置３００は再生開始指示、即ち再生コマンドの発行を待つ（ステップＳ１２２）。ここで、例えば、操作ボタン３１０で再生ボタンが押されると、ＣＰＵ３５４がこれを検知し、ＣＰＵ３５４は、再生開始指示、即ち再生コマンドの発行があった場合（ステップＳ１２２：Ｙｅｓ）、実際の再生動作が行われ、再生情報が、例えば、ユーザデータエリア１０９−０上のディフェクトリスト情報１３０に登録されているディフェクトの退避先アドレスにおいて記録されている再生情報が再生される（ステップＳ１２３）。
【０１４１】
次に、再生動作中にディフェクトが検知されたか否かが判定される（ステップＳ１２４）。ここで、ディフェクトが検知された場合（ステップＳ１２４：Ｙｅｓ）、更に、ディスクの挿入後、最初のディフェクトの検知か否かが判定される（ステップＳ１２５）。ここで、最初のディフェクトの検知であった場合（ステップＳ１２５：Ｙｅｓ）、ディフェクトリスト情報１３０に対応する信頼性フラグ１５０−Ｄに“１”のフラグが暫定的に光ディスク１００上のマネージメントエリアＭＡに記録される（ステップＳ１２６）。
【０１４２】
次にディフェクトを検知したプロッサ３５４は、ディフェクトを検知した領域を識別し、メモリ３５５上に記録されたディフェクトリスト情報１３０の更新を行う（ステップＳ１２７）。ディフェクトリスト情報１３０の更新完了後、信頼性フラグ１５０−Ｄに“０”が確定的に光ディスク１００上のマネージメントエリアＭＡに記録される（ステップＳ１２８）。尚、このステップＳ１２８の処理は、前述したステップＳ１１５において説明したように、後述されるステップＳ１３２において、他の各種管理情報とまとめて行ってもよい。
【０１４３】
他方、ステップＳ１２４及びＳ１２５の判定の結果、ディフェクトは検知されない、又は最初のディフェクトの検知でない場合（ステップＳ１２４及びＳ１２５：Ｎｏ）、前述したステップＳ１２６は省略される。
【０１４４】
次に、情報記録再生装置３００は、操作ボタン３１０からの光ディスク１００の排出指示、即ちＥＪＥＣＴコマンドの発行を待つ（ステップＳ１２９）。この排出指示又はＥＪＥＣＴコマンドが発行された場合（ステップＳ１２９：Ｙｅｓ）、更に、メモリ３５５上に記録された各種管理情報の更新が行われたか否かが判定される（ステップＳ１３０）。ここで、メモリ３５５上に記録された各種管理情報の更新が行われた場合（ステップＳ１３０：Ｙｅｓ）、光ディスク１００のマネージメントエリアＭＡに、メモリ３５５上で最新の情報に正しく更新された各種管理情報が書き換え又は追記される（ステップＳ１３１）。
【０１４５】
次に、各種管理情報に対応する全ての信頼性フラグ群１５０（例えば、スペースビットマップ情報に対応する信頼性フラグ１５０−Ｓ、ディフェクトリスト情報に対応する信頼性フラグ１５０−Ｄ、又は、ポインター情報に対応する信頼性フラグ１５０−Ｐ）に“０”が確定的に光ディスク１００上のマネージメントエリアＭＡに書き換え又は追記される（ステップＳ１３２）。
【０１４６】
次に、情報記録再生装置３００は、ステップＳ１２９の操作ボタン３１０からの光ディスク１００の排出指示又はコマンドの発行を受けて、実際に光ディスク１００を排出する（ステップＳ１３３）。
【０１４７】
他方、ステップＳ１２９の判定の結果、排出指示又はＥＪＥＣＴコマンドが発行されない場合（ステップＳ１２９：Ｎｏ）、情報記録再生装置３００は、前述した、ＯＰＣ処理の開始指示、即ちＯＰＣコマンドの発行を待つ（ステップＳ１１０）。
【０１４８】
次に、図１０を参照して、情報記録再生装置３００においてアプリケーション動作中に電源が遮断された場合の記録動作及び光ディスク１００上での更新動作について説明する。ここに、図１０は、本発明の情報記録装置に係る実施例における情報記録再生装置において電源が遮断された場合の記録動作を示すフローチャートである。尚、ステップＳ１１０からステップＳ１３３までの記録動作は前述した図９において正常時の場合と同様である。
【０１４９】
図１０に示されるように、前述した各種一連の動作、及び、各種管理情報の更新処理の途中において（例えば、ステップＳ１１３、Ｓ１１４、Ｓ１１９、Ｓ１２０、Ｓ１２６、又は、Ｓ１２７を参照）、ユーザによる電源の遮断又は、機械的に光ディスク１００が排出されか否かが判定される（ステップＳ２０１）。ここで、各種一連の動作中において、電源の遮断等が行われた場合（ステップＳ２０１：Ｙｅｓ）、情報記録装置３００が再起動され、前述した図８のスタートへと戻る。
【０１５０】
他方、各種一連の動作中において、電源の遮断等が行われなかった場合（ステップＳ２０１：Ｎｏ）、前述したステップＳ１２９へと進む。
【０１５１】
尚、各種制御等は情報記録再生装置３００又はホストコンピュータ４００内のＣＰＵ３５４又は３５９が夫々単独で実行してもよいし、協調して実行してもよい。また、記憶動作についても同様に情報記録再生装置３００又はホストコンピュータ４００内のメモリ３５５又は３６０が夫々単独で使用されてもよいし、同時に又は相前後して使用されてもよい。
【０１５２】
本実施例では、各種管理情報及び信頼性情報は、例えば、マネージメントエリアＭＡに記録され、ＣＰＵ３５４又は３５９の制御下で、情報記録再生装置３００又はホストコンピュータ４００によって管理されるように示したが、これら各種管理情報は、例えば、ユーザデータエリア１０９−０等に記録され、ファイルシステム又はアプリケーション等によって管理されるようにしてもよい。
【０１５３】
尚、本実施例では、情報記録媒体の一例として追記型の光ディスク１００並びに情報再生記録装置の一例として追記型の光ディスク１００に係るレコーダ又はプレーヤについて説明したが、本発明は、追記型の光ディスク並びにそのレコーダ又はプレーヤに限られるものではなく、本実施例を応用して、書き換え型の光ディスク等の書き換え型の情報記録媒体、Blu-ray用光ディスク、ハードディスク等の大容量記録装置、他の高密度記録或いは高転送レート対応の各種情報記録媒体並びにそのレコーダ又はプレーヤにも適用可能である。
【０１５４】
本発明は、上述した実施例に限られるものではなく、請求の範囲及び明細書全体から読み取れる発明の要旨或いは思想に反しない範囲で適宜変更可能であり、そのような変更を伴う情報記録媒体、情報記録装置及び方法もまた本発明の技術的範囲に含まれるものである。
【産業上の利用可能性】
【０１５５】
本発明に係る情報記録媒体、情報記録装置及び方法は、例えば、民生用或いは業務用の、各種情報を高密度に記録可能な多層型の光ディスクに利用可能であり、更に光ディスクに係るレコーダ又はプレーヤ等に利用可能である。また、例えば民生用或いは業務用の各種コンピュータ機器に搭載される又は各種コンピュータ機器に接続可能な、情報記録媒体、情報記録装置等にも利用可能である。
【図面の簡単な説明】
【０１５６】
【図１】本発明の情報記録媒体の実施例に係る複数の記録領域を有する光ディスクの基本構造を示した概略平面図（図１（ａ））、及び、該光ディスクの概略断面図と、これに対応付けられた、その半径方向における記録領域構造の図式的概念図（図１（ｂ））である。
【図２】本発明の情報記録媒体の実施例に係る光ディスクのデータ構造及び該光ディスクの記録領域におけるＥＣＣブロックを構成する物理的セクタ番号、並びに、該光ディスクのパラレル方式による記録又は再生方法を示した概念的グラフ図である。
【図３】本発明の情報記録媒体の実施例に係る光ディスクの記録領域の構造並びにその光ディスクに記録済みの記録領域及びセクタ番号の一具体例を示した図式的なデータ構造図である。
【図４】本発明の情報記録媒体の実施例に係る光ディスクにおいて、記録領域における物理的セクタ番号、スペースビットマップ情報、及び、各種管理情報に対応する信頼性情報の一具体例である信頼性フラグ群を示した概念的なテーブルである。
【図５】比較例に係る光ディスクの記録領域の構造並びにその光ディスクに記録済みの記録領域及びセクタ番号の一具体例を示した図式的なデータ構造図である。
【図６】比較例に係る光ディスクにおいて、記録領域における物理的セクタ番号、スペースビットマップ情報、及び、信頼性フラグを示した概念的なテーブルである。
【図７】本発明の情報記録装置に係る実施例における情報記録再生装置及び、ホストコンピュータのブロック図である。
【図８】本発明の情報記録装置に係る実施例における情報記録再生装置において信頼性情報の一例を構成する信頼性フラグ群に基づいて、各種管理情報がメモリ上で更新される動作を示すフローチャートである。
【図９】本発明の情報記録装置に係る実施例における情報記録再生装置において正常時の記録動作を示すフローチャートである。
【図１０】本発明の情報記録装置に係る実施例における情報記録再生装置において電源が遮断された場合の記録動作を示すフローチャートである。
【符号の説明】
【０１５７】
１…センターホール、１０…トラック、１１…セクタ、１００…光ディスク、１０１（１０１−０及び１０１−１）…リードインエリア、１０２（１０２−０及び１０２−１）…データエリア、１０３（１０３−０及び１０３−１）…リードアウトエリア、１０４…ミドルエリア、１０９−０…ユーザデータエリア、１２０…スペースビットマップ情報、１２１…済みフラグ、１３０…ディフェクトリスト情報、１４０…ＯＰＣポインター情報、１５０…信頼性フラグ群、１５０−Ｓ…スペースビットマップ情報に対応する信頼性フラグ、１５０−Ｓ０…Ｌ０層のスペースビットマップ情報に対応する信頼性フラグ、１５０−Ｓ１…Ｌ１層のスペースビットマップ情報に対応する信頼性フラグ、１５０−Ｄ…ディフェクトリスト情報に対応する信頼性フラグ、１５０−Ｐ…ＯＰＣポインター情報に対応する信頼性フラグ、１５１…信頼性フラグ、３００…情報記録再生装置、３０６（３０８）…データ入出力制御手段、３０７…操作制御手段、３１０…操作ボタン、３１１…表示パネル、３５１…スピンドルモータ、３５２…光ピックアップ、３５３…信号記録再生手段、３５４…ＣＰＵ（ドライブ制御手段）、３５５（３６０）…メモリ、３５９…ＣＰＵ（ホスト用）、４００…ホストコンピュータ、ＬＢ…レーザ光、ＭＡ…マネージメントエリア、ＰＣＡ０…ＯＰＣエリア、ＳＡ１（ＳＡ２）…スペアエリア
【図１】
2007213809.tif 000003
【図２】
2007213809.tif 000004
【図３】
2007213809.tif 000005
【図４】
2007213809.tif 000006
【図５】
2007213809.tif 000007
【図６】
2007213809.tif 000008
【図７】
2007213809.tif 000009
【図８】
2007213809.tif 000010
【図９】
2007213809.tif 000011
【図１０】
2007213809.tif 000012
【手続補正書】
【提出日】平成19年4月9日(2007.4.9)
【手続補正１】
【補正対象書類名】特許請求の範囲
【補正対象項目名】全文
【補正方法】変更
【補正の内容】
【特許請求の範囲】
【請求項１】
複数の記録層を有する情報記録媒体であって、
記録情報を記録するための記録情報記録領域と、
前記記録情報記録領域を管理するための複数種類の管理情報を記録するための管理情報記録領域と、
前記複数種類の管理情報が正しく更新されたか否かという信頼性を前記複数種類の管理情報毎に示す複数の信頼性情報を記録するための信頼性情報記録領域と
を備え、
前記複数種類の管理情報は、前記記録情報記録領域の各ブロック夫々に対して記録済み状態又は未記録状態を識別するためのスペースビットマップ情報及びディフェクト管理を行なうためのディフェクトリスト情報を含み、
前記スペースピットマップ情報は前記複数の記録層毎の管理情報であり、前記ディフェクトリスト情報は前記複数の記録層全体の管理情報であることを特徴とする情報記録媒体。
【請求項２】
前記複数の信頼性情報は、前記信頼性情報記録領域にまとめて記録されることを特徴とする請求項１に記載の情報記録媒体。
【請求項３】
複数の記録層を有する情報記録媒体であって、記録情報を記録するための記録情報記録領域と、前記記録情報記録領域を管理するための複数種類の管理情報を記録するための管理情報記録領域と、前記複数種類の管理情報が正しく更新されたか否かという信頼性を前記複数種類の管理情報毎に示す信頼性情報を記録するための信頼性情報記録領域とを備え、前記複数種類の管理情報は、前記記録情報記録領域の各ブロック夫々に対して記録済み状態又は未記録状態を識別するためのスペースビットマップ情報及びディフェクト管理を行なうためのディフェクトリスト情報を含み、前記スペースピットマップ情報は前記複数の記録層毎の管理情報であり、前記ディフェクトリスト情報は前記複数の記録層全体の管理情報である情報記録媒体に前記記録情報を記録する情報記録装置であって、
前記記録情報を記録する記録情報記録手段と、
前記管理情報を記録する管理情報記録手段と、
前記管理情報に対応する前記信頼性情報を記録する信頼性情報記録手段と
を備え、
前記信頼性情報記録手段は、前記管理情報記録手段による記録開始前に、前記信頼性情報を暫定的に信頼がない状態として記録することを特徴とする情報記録装置。
【請求項４】
複数の記録層を有する情報記録媒体であって、記録情報を記録するための記録情報記録領域と、前記記録情報記録領域を管理するための複数種類の管理情報を記録するための管理情報記録領域と、前記複数種類の管理情報が正しく更新されたか否かという信頼性を前記複数種類の管理情報毎に示す信頼性情報を記録するための信頼性情報記録領域とを備え、前記複数種類の管理情報は、前記記録情報記録領域の各ブロック夫々に対して記録済み状態又は未記録状態を識別するためのスペースビットマップ情報及びディフェクト管理を行なうためのディフェクトリスト情報を含み、前記スペースピットマップ情報は前記複数の記録層毎の管理情報であり、前記ディフェクトリスト情報は前記複数の記録層全体の管理情報である情報記録媒体に前記記録情報を記録する情報記録装置における情報記録方法であって、
前記記録情報を記録する記録情報記録工程と、
前記管理情報を記録する管理情報記録工程と、
前記管理情報に対応する前記信頼性情報を記録する信頼性情報記録工程と
を有し、
前記信頼性情報記録工程は、前記管理情報記録工程による記録開始前に、前記信頼性情報を暫定的に信頼がない状態として記録することを特徴とする情報記録方法。